(57)【要約】【課題】着脱容易な油圧ショベル用アタッチメントおよびこれを装着した油圧ショベル油圧ショベル用先端アタッチメント支持装置を提供する。【解決手段】油圧ショベル用アタッチメント(20)は、油圧ショベルのアーム部の先端に設けられたショベル側支持部にワンタッチ式で着脱可能な支持部(21)と、油圧で伸縮自在な複数段のブーム部(22)とを具える。本構成によれば、ロングリーチ部だけをアタッチメント化し、ユーザ、レンタル業者の利便性、機器の有効活用を図ることが可能となる。【選択図】図１
0003147199.tif 000002
【実用新案登録請求の範囲】
【請求項１】
油圧ショベル用アタッチメントであって、
油圧ショベルのアーム部の先端に設けられたショベル側支持部にワンタッチ式で着脱可能な支持部と、
油圧で伸縮自在な複数段のブーム部と、
を具えることを特徴とする油圧ショベル用アタッチメント。
【請求項２】
請求項１に記載の油圧ショベル用アタッチメントにおいて、
前記ブーム部が、
該ブーム部の先端に先端アタッチメント支持部を具える、
ことを特徴とする油圧ショベル用アタッチメント。
【請求項３】
請求項２に記載の油圧ショベル用アタッチメントにおいて、
前記先端アタッチメント支持部が、第１の連結孔が設けられたブラケット部と、第２の連結孔が設けられたＵ字状フック部と、連結ピンとを具え、
前記ブラケット部と前記Ｕ字状フック部とが、第１の連結孔と第２の連結孔とを貫く前記連結ピンにより回動可能に連結され、
前記Ｕ字状フック部が、先端アタッチメントの支持軸を受ける受け部を具え、
前記ブラケット部は、
該先端アタッチメントの自重により前記仮止めが外れて該Ｕ字状フック部が前記第１及び第２の連結孔を貫く前記連結ピンを中心にして回動したときに、該Ｕ字状フック部と合体して略円形となり、該Ｕ字状フック部と共に該支持軸を支持するＵ字状支持部を具え、
該Ｕ字状フック部と合体して略円形となったときに、該Ｕ字状フック部と該ブラケット部とを貫通してこれらを固定する固定ピンを装着可能な穴部が、該Ｕ字状フック部と、該ブラケット部にそれぞれ設けられている、
ことを特徴とする油圧ショベル用アタッチメント。
【請求項４】
請求項３に記載の油圧ショベル用アタッチメントにおいて、
前記Ｕ字状フック部が、前記ブラケット部に設けた仮止め機構により所定の位置で仮止めされる、
ことを特徴とする油圧ショベル用アタッチメント。
【請求項５】
請求項１〜４のいずれか１項に記載の油圧ショベル用アタッチメントを装着した油圧ショベル。
【請求項６】
油圧ショベル用先端アタッチメント支持装置であって、
第１の連結孔が設けられたブラケット部と、第２の連結孔が設けられたＵ字状フック部と、連結ピンとを具え、
前記ブラケット部と前記Ｕ字状フック部とが、第１の連結孔と第２の連結孔とを貫く前記連結ピンにより回動可能に連結され、
前記Ｕ字状フック部が、先端アタッチメントの支持軸を受ける受け部を具え、
前記ブラケット部は、
該先端アタッチメントの自重により前記仮止めが外れて該Ｕ字状フック部が前記第１及び第２の連結孔を貫く前記連結ピンを中心にして回動したときに、該Ｕ字状フック部と合体して略円形となり、該Ｕ字状フック部と共に該支持軸を支持するＵ字状支持部を具え、
該Ｕ字状フック部と合体して略円形となったときに、該Ｕ字状フック部と該ブラケット部とを貫通してこれらを固定する固定ピンＰＩＮ２を装着可能な穴部が、該Ｕ字状フック部と、該ブラケット部にそれぞれ設けられている、
ことを特徴とする油圧ショベル用先端アタッチメント支持装置。
【請求項７】
請求項６に記載の油圧ショベル用先端アタッチメント支持装置において、
前記Ｕ字状フック部が、前記ブラケット部に設けた仮止め機構により所定の位置で仮止めされる、
ことを特徴とする油圧ショベル用先端アタッチメント支持装置。
【考案の詳細な説明】
【技術分野】
【０００１】
本考案は、油圧ショベル用アタッチメントおよびこれを装着した油圧ショベル並びに油油圧ショベル用先端アタッチメント支持装置に関するものであり、特に、林業での集材作業、土木工事に適用できる油圧ショベル用アタッチメントおよびこれを装着した油圧ショベル並びに油油圧ショベル用先端アタッチメント支持装置に関する。
【背景技術】
【０００２】
近年、集材作業において低コスト化、作業安全を図るためにロングリーチ・グラップル機構を具えた林業専用の油圧ショベルが導入されつつある。しかし、このような油圧ショベルは林業専用に製作されたものであり、非常に高価なものである。しかも専用機であるため、他の作業、例えば、土木作業などには使えない。例えば、建設機械製造会社から、通常の油圧ショベルを林業専用の仕様に変更した油圧ショベルなどが製品化されている（非特許文献１を参照されたい）。
【非特許文献１】ウェブサイト：  http://www.sumitomokenki.co.jp/product/shovel/shovel_sh120-3.html#spec
【考案の開示】
【考案が解決しようとする課題】
【０００３】
しかしながら、一般的な油圧ショベルは、汎用的な他の用途に使う機会が豊富にあるため、ユーザとしては１台の油圧ショベルで、林業作業のみならず、他の用途である土木作業、建設作業などにも使用できる方が都合がよい。特に、ある季節にだけ林業に使う必要があるときに林業専用機を購入した場合、他の季節には当該林業専用機が遊んでしまうことになるため、非常に効率が悪い。或いは、このような大型の機械は、レンタル業者などが所有し、ユーザに数日単位、週単位などでレンタルすることが多いが、このようなレンタル業者にとっても、多用途に使える油圧ショベルの方が、レンタル上都合が良い。
【０００４】
そこで、本考案は、このような林業専用のパワーショベルの現状に鑑みて、特に林業や農業に適した着脱容易な油圧ショベル用アタッチメントおよびこれを装着した油圧ショベル並びに油油圧ショベル用先端アタッチメント支持装置を提供することを目的とする。即ち、本発明は、ロングリーチ部だけをアタッチメント化し、ユーザ、レンタル業者の利便性、機器の有効活用を図るものである。
【課題を解決するための手段】
【０００５】
第１の考案による油圧ショベル用アタッチメントは、
油圧ショベルのアーム部の先端に設けられたショベル側支持部にワンタッチ式で着脱可能な支持部と、
（ロングリーチ部に相当する）油圧で伸縮自在な複数段のブーム部と、
を具えることを特徴とする。
【０００６】
また、第２の考案による油圧ショベル用アタッチメントは、
前記ブーム部が、該ブーム部の先端に先端アタッチメント支持部を具える、
ことを特徴とする。
【０００７】
また、第３の考案による油圧ショベル用アタッチメントは、
前記先端アタッチメント支持部が、第１の連結孔が設けられたブラケット部と、第２の連結孔が設けられたＵ字状フック部と、連結ピンとを具え、
ブラケット部とＵ字状フック部とが、第１の連結孔と第２の連結孔とを貫く連結ピンにより回動可能に連結され、
前記Ｕ字状フック部が、先端アタッチメントの支持軸を受ける受け部を具え、
前記ブラケット部は、
該先端アタッチメントの自重により前記仮止めが外れて該Ｕ字状フック部が前記第１及び第２の連結孔を貫く前記連結ピンを中心にして回動したときに、該Ｕ字状フック部と合体して略円形となり、該Ｕ字状フック部と共に該支持軸を支持するＵ字状支持部を具え、
該Ｕ字状フック部と合体して略円形となったときに、該Ｕ字状フック部と該ブラケット部とを貫通してこれらを固定する固定ピンを装着可能な穴部が、該Ｕ字状フック部と、該ブラケット部にそれぞれ設けられている、
ことを特徴とする。
【０００８】
また、第４の考案による油圧ショベル用アタッチメントは、
前記Ｕ字状フック部５０が、前記ブラケット部４０に設けた仮止め機構４４により所定の位置で仮止めされる、
ことを特徴とする。
【０００９】
また、第５の考案による油圧ショベルは、
第１〜４のいずれかの考案による油圧ショベル用アタッチメントを装着した油圧ショベルである。
【００１０】
また、第３，第４の考案による油圧ショベル用アタッチメントの構成要素である先端アタッチメント支持部（装置／器具）は、先端アタッチメント支持部（装置／器具）単体としても、独自の機能及び効果を発揮する。
【００１１】
また、第６の考案による油圧ショベル用先端アタッチメント支持装置（器具）は、
第１の連結孔が設けられたブラケット部と、第２の連結孔が設けられたＵ字状フック部と、連結ピンとを具え、
前記ブラケット部と前記Ｕ字状フック部とが、第１の連結孔と第２の連結孔とを貫く前記連結ピンにより回動可能に連結され、
前記Ｕ字状フック部が、先端アタッチメントの支持軸を受ける受け部を具え、
前記ブラケット部は、
該先端アタッチメントの自重により前記仮止めが外れて該Ｕ字状フック部が前記第１及び第２の連結孔を貫く前記連結ピンを中心にして回動したときに、該Ｕ字状フック部と合体して略円形となり、該Ｕ字状フック部と共に該支持軸を支持するＵ字状支持部を具え、
該Ｕ字状フック部と合体して略円形となったときに、該Ｕ字状フック部と該ブラケット部とを貫通してこれらを固定する固定ピンを装着可能な穴部が、該Ｕ字状フック部と、該ブラケット部にそれぞれ設けられている、
ことを特徴とする。
【００１２】
また、第７の考案による油圧ショベル用先端アタッチメント支持装置は、
前記Ｕ字状フック部が、前記ブラケット部に設けた仮止め機構により所定の位置で仮止めされる、
ことを特徴とする。
【考案を実施するための最良の形態】
【００１３】
本考案の具体的な実施例を図１から図６を参照して詳細に説明する。
【００１４】
図１は、本考案の一実施態様による基本的な構成を示す図である。図１に示すように、油圧（パワー）ショベル１０は、無限軌道部１１、無限軌道部１１上で旋回自在なボディ１２、ボディ１２前方に配置されたアーム支持部１３、アーム支持部１３に装着された、クランクを有するアーム部１４、アーム部１４の先端に設けられたショベル側支持部１５を具える。
【００１５】
油圧ショベル用アタッチメント２０は、油圧ショベル１０のショベル側支持部１５にワンタッチ式で着脱可能な支持部２１と、ロングリーチ部に相当する油圧で伸縮自在な複数段のブーム部２２とを具える。ブーム部２２が、先端アタッチメントであるグラップル部３０を装着するために、該ブーム部の先端に先端アタッチメント支持部２３を具える。ブーム部２２は、第１チューブＴ１、第２チューブＴ２、第３チューブＴ３から構成される。第１チューブＴ１は、第１ロッドＬ１と第２チューブＴ２とを収容することができる、同様に、第２チューブＴ２は、第２ロッドＬ２と第３チューブＴ３とを収容する。第３チューブＴ３は、第３ロッドＬ３を収容する。全てのロッド、チューブを収容した場合は、油圧ショベル用アタッチメント２０は、第１チューブＴ１、支持部２１、先端アタッチメント支持部２３だけの筐体となり、非常にコンパクトな構成となる。第１チューブＴ１には、油圧ショベル１０のアーム部１４への装着をより強固かつ安定にするための補助支持部２１ａ（Ｉリンク）を設けてある。
【００１６】
図１に示した油圧ショベル用アタッチメント２０は、全てのチューブ、ロッドを伸ばした状態の構成であり、全てのチューブ、ロッドは、油圧または手動で伸縮すること可能である。油圧は、従来技術により、油圧ショベル１０から供給を受けているが、作図および説明の便宜上、図示しない。また、従来技術により、先端アタッチメントであるグラップル部３０にも、油圧ショベル用アタッチメント２０を介して、油圧ショベル１０から油圧を供給して駆動させるものであるが、同様に、作図および説明の便宜上、図示していない。第１ロッドＬ１、第２チューブＴ２の先端には、これらを連結する第１連結部Ｃ１が設けてある。同様に、第２ロッドＬ２、第３チューブＴ３の先端には、これらを連結する第２連結部Ｃ２が設けてある。
【００１７】
図２は、図１に示した油圧ショベル用アタッチメント２０の詳細な構成図である。但し、これは単なる例示であり、３段以外のロッド構成でも実現可能であり、各ロッドは必ずしもチューブに収容する構成でなくてもよい。ワンタッチ式で着脱可能な支持部２１は、いわゆる本体である油圧ショベルと連結するためのブラケット部であり、ピンを通す穴ｈ１、ｈ２を設けてある。２つの穴ｈ１、ｈ２に連結用ピンを通して固定することができる構成となっている。補助支持部２１ａ（Ｉリンク）にも、２つの穴ｈ３、ｈ４を設けてあり、連結用ピンを通して固定することが可能となっている。
【００１８】
先端アタッチメント支持部２３は、様々な構成を取ることができるが、図３に、先端アタッチメント支持部の一例を示す。本実施例では、先端アタッチメント支持部（器具、装置）は、第１の連結孔４１が設けられたブラケット部４０と、第２の連結孔５１が設けられたＵ字状フック部５０と、連結ピンＰＩＮ１とから構成される。そして、ブラケット部４０とＵ字状フック部５０とが、第１の連結孔４１と第２の連結孔５１とを貫く連結ピンＰＩＮ１により回動可能に連結され、Ｕ字状フック部５０が、ブラケット部４０に設けた仮止め機構４４により所定の位置で仮止めされ、Ｕ字状フック部５０が、先端アタッチメントの支持軸３１を受ける受け部５３を具える。ブラケット部４０は、先端アタッチメントの自重により仮止めが外れてＵ字状フック部５０が第１及び第２の連結孔４１，５１を貫く連結ピンＰＩＮ１を中心にして回動したときに、Ｕ字状フック部と合体して（略垂下状態で）略円形となり、Ｕ字状フック部５０と共にその支持軸を支持／固定するＵ字状支持部４３を具える。Ｕ字状フック部５３と合体して略円形となったときに、Ｕ字状フック部５０とブラケット部４０とを貫通してこれらを固定する固定ピンＰＩＮ２を装着可能な穴部４２，５２が、Ｕ字状フック部５０と、ブラケット部４０とにそれぞれ設けられている。本構成によれば、支持軸３１のような軸を持つ先端アタッチメントを容易に略ワンタッチで装着することが可能となる。ちなみに、先端アタッチメント支持部（器具、装置）は、先端アタッチメントを支持する部分であれば任意の箇所に装着可能であり、例えば、油圧ショベル本体側のアーム部などにも装着可能である。
【００１９】
図４は、図３に示した先端アタッチメント支持部を分解してＵ字状フック部５０だけを示した図であり、図５は、同様に図３に示した先端アタッチメント支持部を分解してブラケット部４０だけを示した図である。
【００２０】
図６は、図３に示した先端アタッチメント支持部で双方の部材を固定したときの斜視図である。図に示すように固定位置では、Ｕ字状支持部４３と受け部５３とで略円形となり、支持軸３１を包み込むようにして、固定することができる。
【００２１】
図７は、仮止め機構４４の一例を示す図である。図に示すように、仮止め機構４４は、ブラケット部４０に設けたガイドＧＤとガイドＧＤに装着されたボルトＢＬＴ、ボルトＢＬＴ下部に設けたバネＳＰＲおよびボールＢＡＬから構成される。仮止め時には、ボールＢＡＬがＵ字状フック部５０に設けられた孔に嵌っており、Ｕ字状フック部５０の回動を規制し、仮止めしている。Ｕ字状フック部５０に先端アタッチメントが装着され、ある程度の回転モーメントがＵ字状フック部５０にかかったときに、ボールＢＡＬはＵ字状フック部５０の孔の縁部から加わる力によって上部に押し戻される。このときの力はバネＳＰＲによって吸収される。そして、ボールＢＡＬを押し戻した後は、規制が解除され、Ｕ字状フック部５０は自在に回動できるようになる。先端アタッチメントが外した後で、この規制位置までＵ字状フック部５０を回動させると、自動的に、ボールＢＡＬがバネＳＰＲによって押し下げられ、また、回動が規制され、仮止めされる。なお、ボルトＢＬＴを締めたり、緩くしたりすることで仮止めの程度を調整できる。また、Ｕ字状フック部５０の孔は貫通孔にせずに、凹部にしても、同様に仮止め機構として作用させることができる。
【００２２】
＜産業上の利用可能性＞
以上に示したように、本考案によれば、ベースマシン本体、作業機は標準仕様のままでアーム先端にワンタッチピンロックを装着し、伸縮ブーム部分だけを脱着交換可能にすることができる。また、バケットや固定式グラップルと簡単に交換可能である。また、０．２５クラスのロングリーチ集材で狭い林内での間伐作業の効率及び安全性が向上できる。保有機や中古機を簡単にロングリーチが可能になり、ロングリーチ集材が促進される。一台の機械で多種のアタッチメントを交換可能になり簡易ハイブリッド機になる。ロングリーチが安価になり導入が進む。また、アタッチメント化で輸送姿勢（キャビンと同高さ）が可能で運搬が容易になる。例えばトレーラによる運搬がなくなり運搬費用が安くなる。なお、本考案は、主として林業を対象としたものとして説明したが、林業のみならず、様々な分野に利用可能であり、例えば、農業、土木工事用として使用することが可能である。
【００２３】
本考案を諸図面や実施例に基づき説明してきたが、当業者であれば本開示に基づき種々の変形や修正を行うことが容易であることに注意されたい。従って、これらの変形や修正は本考案の範囲に含まれることに留意されたい。例えば、各部などに含まれる機能などは論理的に矛盾しないように再配置可能であり、複数の部やユニットなどを１つに組み合わせたり、或いは分割したりすることが可能である。
【図面の簡単な説明】
【００２４】
【図１】本考案の一実施態様による基本的な構成を示す図である。
【図２】図１に示した油圧ショベル用アタッチメント２０の詳細な構成図である。
【図３】先端アタッチメント支持部の一例を示す図である。
【図４】図３に示した先端アタッチメント支持部を分解してＵ字状フック部５０だけを示した図である。
【図５】図３に示した先端アタッチメント支持部を分解してブラケット部４０だけを示した図である。
【図６】図３に示した先端アタッチメント支持部で双方の部材を固定したときの斜視図である。
【図７】仮止め機構４４の一例を示す図である。
【符号の説明】
【００２５】
１０  油圧ショベル
１１  無限軌道部
１２  ボディ
１３  アーム支持部
１４  アーム部
１５  ショベル側支持部
２０  油圧ショベル用アタッチメント
２１  支持部
２１ａ  補助支持部
２２  ブーム部
２３  先端アタッチメント支持部
３０  グラップル部
３１  支持軸
４０  ブラケット部
４１，５１  連結孔
４２，５２  穴部
４３  Ｕ字状支持部
４４  仮止め機構
５０  Ｕ字状フック部
５０  ボール
５０  Ｕ字状フック部
５１  連結孔
５３  受け部
ＢＡＬ  ボール
ＢＬＴ  ボルト
Ｃ１  第１連結部
Ｃ２  第２連結部
ＧＤ  ガイド
Ｌ１  第１ロッド
Ｌ２  第２ロッド
Ｌ３  第３ロッド
ＰＩＮ１  連結ピン
ＰＩＮ２  固定ピン
ＳＰＲ  バネ
Ｔ１  第１チューブ
Ｔ２  第２チューブ
Ｔ３  第３チューブ
【図１】
0003147199.tif 000003
【図２】
0003147199.tif 000004
【図３】
0003147199.tif 000005
【図４】
0003147199.tif 000006
【図５】
0003147199.tif 000007
【図６】
0003147199.tif 000008
【図７】
0003147199.tif 000009